(57)【特許請求の範囲】
【請求項１】
受水槽と、ショーケースのドレン水を前記受水槽に導くショーケース排水管と、前記受水槽の水位が下限レベルになったことを検知する下限水位センサと、前記受水槽の水位が上限レベルになったことを検知する上限水位センサと、前記受水槽に溜まったドレン水を水ポンプにより外部に排水する排水管とを備え、前記上限水位センサ、前記下限水位センサ及び接地電極は、前記受水槽の側面に固定された固定板にそれぞれ螺合した電極により構成され、前記水ポンプは、前記上限水位センサからの検知信号と、前記下限水位センサからの検知信号とにより運転又は停止が行われ、前記上限水位センサが検知してから下限水位センサが検知するまでの時間が所定の設定時間より短いときには警報を発報する制御回路を有することを特徴とするショーケースのドレン排水装置。
【発明の詳細な説明】
【０００１】
【発明の属する技術分野】
本発明は、店舗等において冷凍・冷蔵食品の陳列のために用いられるショーケースのドレン排水装置に関するものである。
【０００２】
【従来の技術】
従来、この種のショーケースは、第１の従来例として、例えば特開平７ー７１８６４号公報に示される如く、ドレンタンク内に２本の棒状の電極を設け、電極が互いにドレン水で導通したときの抵抗変化に基づき、ドレンタンク内のドレン水が所定水位に達しことを検知する水位検出手段（水位センサ）を設ける構成のものがある。
【０００３】
第２の従来例として、例えば、特開平１１ー１４８７７１号公報に示されているように、受水槽には、例えば、静電式の近接センサを利用した下限水位センサと上限水位センサが設けられ、円筒状の近接センサの先端部を受水槽の中に達するまで差し込んで取り付ける。そして、受水槽の中の水位が上昇して、下限水位センサ，上限水位センサの先端部に水が接触すると、下限水位センサ，上限水位センサはオンの状態になって、受水槽の水位がその高さに達したことを検知する。
【０００４】
【発明が解決しようとする課題】
しかしながら、上記第１の従来例において、水位センサはドレンタンク内に設けられており、ドレンタンク内がある程度の水位になるとセンサ部は水没してしまい、ドレンタンク内のドレン水を捨水処理した後も水位センサにドレン水が付着していることがあり、所定水位に達していないのに警報を発報してしまう等の誤動作が発生する虞があった。
【０００５】
また、上記第２の従来例では、下限水位センサと上限水位センサは、受水槽内の水位がその高さに達しているか否かを検知する必要があるため、単に水で濡れている程度では検知信号を出さないように、それらの感度を調整しなければならなかった。またさらに、受水槽には、霜取時にドレン水が流れてきて水面が波立ち、水位が一定でないため、このドレン水の流入時に、上限水位センサが開閉を繰り返し行うので、これを防止することも必要であり、前述のほかさらにこの点をも配慮してセンサの感度を適切に調節する必要があった。
【０００６】
さらに、このドレン排水処理システムでは複数のショーケース１、１・・・が接続されているため、ドレン水の流入による上記症状が一度に流入する事態が頻繁に発生し、接続しているショーケースの台数に合わせてセンサの感度をいっそう適切に調節する必要があった。さらに、ショーケースのドレン水は、日配品や野菜等の商品に付着した汚れや土などにより汚染されているため、センサの感度が徐々に変化してしまうため、センサの定期的な清掃、交換及び調整が必要であった。
【０００７】
またさらに、設置スペースの関係上ショーケース本体の庫外下部に設置したいという要望も強く、このスペースに収容できる高さの低いドレン排水装置が望まれていた。
【０００８】
本発明は、かかる問題点を解決するためになされたもので、簡単な構成により、ドレン水の水位を検知し、安定性があり交換や調整が容易で、しかも、高さの低い本体庫外下部に設置することができるドレン排水装置を提供することを目的とする。
【０００９】
【課題を解決するための手段】
本発明のショーケースのドレン排水装置は、受水槽と、ショーケースのドレン水を前記受水槽に導くショーケース排水管と、前記受水槽の水位が下限レベルになったことを検知する下限水位センサと、前記受水槽の水位が上限レベルになったことを検知する上限水位センサと、前記受水槽に溜まったドレン水を水ポンプにより外部に排水する排水管とを備え、前記上限水位センサ、前記下限水位センサ及び接地電極は、前記受水槽の側面に固定された固定板にそれぞれ螺合した電極により構成され、前記水ポンプは、前記上限水位センサからの検知信号と、前記下限水位センサからの検知信号とにより運転又は停止が行われ、前記上限水位センサが検知してから下限水位センサが検知するまでの時間が所定の設定時間より短いときには警報を発報する制御回路を有するものである。
【００１０】
本発明によれば、簡単な構成によりドレン水の水位を検知することができ、交換や調整が容易である。さらに、必要に応じて上限水位及び下限水位を容易に変更することができるため、接続するショーケースの台数が多くなって一度に流入するドレン水が増大しても受水槽から溢れないように適宜上限水位及び
下限水位を調節することが可能なショーケースのドレン排水装置を提供することができる。
【００１１】
また、高さの低いドレン排水装置を提供できるので、ドレン排水装置をショーケース本体の高さの低い庫外下部に設置することができるため、新たな設置場所が不要となる。
【００１２】
更に、警報により清掃や交換をすべき時期が明確となるので、センサの定期的な清掃、交換及び調整を容易に行うことができる。
【００１３】
【実施の形態】
以下、本発明の実施の形態を図面に基づいて詳細に説明する。
【００１４】
図１は、ドレン排水装置のシステム概要図である。図１において、１はショーケース、２はドレン管、３はショーケース排水管、４は受水槽、５はフィルタ、ＳＬは下限水位センサ、ＳＵは上限水位センサ、８は逆止弁、９は水ポンプ、１０，１１は排水管、１２は排水溝である。
【００１５】
ショーケース１、１・・・のドレン水は、ドレン管２，ショーケース排水管３を通って、受水槽４に貯められる。受水槽４は、図２に示すように、ショーケース排水管３の導入側にフィルタ５を設け、ショーケース１に陳列されている商品からはがれ落ちたシール等のゴミが流れ込まないようにして、水ポンプ９のゴミ詰まり及び汚れによるセンサＳＬ、ＳＵの劣化を防止している。また、受水槽４には、逆止弁８を介して水ポンプ９が設けられている。水ポンプ９には、排水支管１０が接続されていて、排水支管１０は、天井裏等を通して外部の排水溝１２まで配設されている排水本管１１に接続されている。そして、受水槽４の中に貯められたドレン水は、それらを介して排水溝１２に流される。ここで、ショーケース排水管３，排水支管１０及び排水本管１１には、塩化ビニル管等を用いることができるので、店舗の改装等に伴うレイアウトを変更するためショーケースの位置を移動させる場合、配管を変更するだけで、比較的簡単に対応できる。
【００１６】
受水槽４には、上限水位センサＳＵ、下限水位センサＳＬ及び接地電極Ｅが設けられている。上限水位センサＳＵ、下限水位センサＳＬ及び接地電極Ｅとしては、例えば、Ｍ６で長さ６０ｍｍのステンレス製ボルトＢ１，Ｂ２，Ｂ３を電極としてそれぞれ使用する。
【００１７】
受水槽４は、金属製の略直方体のもので、上面には金属製の蓋４ａがネジ１４、１４・・・で固定されて取外し可能とされている。この受水槽４の側壁４ｂには、受水槽４から図示しない絶縁板により絶縁された鋼板製の固定板１５、１６、１７が固定されている。固定板１５は、前記ボルトＢ１が螺合する螺合部１５ａと、この螺合部１５ａから垂直に立ち上る垂直部１５ｂとこの垂直部１５ｂから水平に延在し、受水槽４の側壁４ｂに固定される固定部１５ｃとを有しており、その螺合部１５ａに、前記上限水位センサＳＵとしてのボルトＢ１が固定されている。そして、固定板１５の螺合部１５ａは２個のナットＮＴ、ＮＴによりそれぞれ上下から締め付けてボルトＢ１を螺合しており、ボルトＢ１が振動等により上下にずれないようにしてある。
【００１８】
同様に、他の固定板１６、１７はそれぞれ、前記ボルトＢ２，Ｂ３が螺合する螺合部１６ａ、１７ａと、この螺合部１６ａ、１７ａから垂直に立ち上る垂直部１６ｂ、１７ｂとこの垂直部１６ｂ、１７ｂから水平に延在し、受水槽４の側壁４ｂに固定される固定部１６ｃ、１７ｃとを有しており、その螺合部１６ａ、１７ａに、前記下限水位センサＳＬとしてのボルトＢ２及び接地電極ＥとしてのボルトＢ３がそれぞれ固定されている。そして、各固定板１６、１７の螺合部１６ａ、１７ａは２個のナットＮＴ、ＮＴによりそれぞれ上下から締め付けてそれぞれボルトＢ２、Ｂ３を螺合しており、ボルトＢ２及びボルトＢ３が振動等により上下にずれないようにしてある。
【００１９】
上限水位センサＳＵとしてのボルトＢ１の最下端Ｂ１ａは、下限水位センサＳＬとしてのボルトＢ２の最下端Ｂ２ａより高くなるように、各固定板１５、１６に螺合し、接地電極ＥとしてのボルトＢ３の最下端Ｂ３ａは、ボルトＢ２の最下端Ｂ２ａよりさらに低くなるように固定板１７に螺合している。
【００２０】
また、前記ボルトＢ１が螺合している固定板１５の螺合部１５ａは、ボルトＢ２が螺合している固定板１６の螺合部１６ａの高さより少許高い位置にあり、一方、ボルトＢ３が螺合している固定板１７の螺合部１７ａは、ボルトＢ２が螺合している固定板１６の螺合部１６ａの高さより高さが低く受水槽４に固定されている。
【００２１】
そして、下限水位センサＳＬとしてのボルトＢ２と接地電極ＥとしてのボルトＢ３間、及び上限水位センサＳＵとしてのボルトＢ１と接地電極ＥとしてのボルトＢ３間で導通したときのそれぞれの抵抗変化に基づき所定水位にあることを検出して、コントローラＣＲに伝達する。コントローラＣＲはこの抵抗の変化に基づき、水ポンプ９の運転及び停止を制御する。
【００２２】
すなわち、受水槽４の中の水位が上限レベルＵに達すると、ボルトＢ１の最下端Ｂ１ａとボルトＢ３間の抵抗が急激に低下するので、その抵抗の変化により、コントローラＣＲの水ポンプ発停リレーの接点Ｕをオンさせ、一方、ドレン水の水位が下限レベルＬ以下まで下がると、ボルトＢ２の最下端Ｂ２ａとボルトＢ３間の抵抗が急激に上昇するので、その抵抗の変化により水ポンプ発停リレーの接点Ｕをオフさせるようにしている。
【００２３】
したがって、受水槽４の中の水位が上限レベルＵ、すなわちボルトＢ１の最下端Ｂ１ａに達すると、水ポンプ９が運転を開始し、その結果、受水槽４の水位が下がってくるが、ボルトＢ１の最下端Ｂ１ａより下回っても運転を続け、受水槽４の水位が下限レベルＬ以下、すなわちボルトＢ２の最下端Ｂ２ａ以下になってから停止する。これによって、上限水位センサＳＵと下限水位センサＳＬとを併用することにより水ポンプ９が頻繁に運転及び停止を繰り返すことがなく、水ポンプ９の耐久性が向上する。そして、水ポンプ９が停止しても、排水管１０に残った水は、逆止弁８により止められて受水槽４に逆流せずに、水ポンプ９内に止まる。したがって、次に水ポンプ９が運転される際に、水ポンプ９が空回りすることがなくなる。尚、接地電極ＥとしてのボルトＢ３は、ボルトＢ２の最下端Ｂ２ａより下の高さの部分については、略常時ドレン水に濡れた状態である。
【００２４】
このように、簡単な構成により、ドレン水の水位を検知することができる。また、電極としてボルトＢ１、Ｂ２を使用しているので、その交換も容易であり、各固定板１５、１６に上下に螺合させる度合いの調節ができ、その最下端Ｂ１ａ、Ｂ２ａの高さの調節が容易である。したがって、必要に応じて上限水位Ｕ及び下限水位Ｌを容易に変更することができるので、接続するショーケース１、１・・・の台数が多くなって一度に流入するドレン水が増大しても、適宜上限水位Ｕ及び下限水位Ｌを調節して受水槽４から溢れないようにすることができる。また、ボルトＢ３の最下端Ｂ３ａの高さを調節して、受水槽４の底面により接近させることもできるので、水面が波打ってボルトＢ３の最下端Ｂ３ａが水面より上に突出しないようにすることができ、接地電極Ｅとしての誤動作を防止することも容易である。
【００２５】
次に、本発明に係るショーケースのドレン排水装置の制御回路について説明する。
【００２６】
図６は、本発明に係る実施例の制御回路図を示す。図７はこの制御回路による通常のタイムチャート、図８は電極棒の表面が汚染され、感度が変化したときのタイムチャートを示す。
【００２７】
図６において、符号Ｕは水ポンプ９の運転及び停止を制御するためのコントローラＣＲの水ポンプ発停リレーの接点、１Ｘは第１のリレー及びその接点、１Ｙは第２のリレー及びその接点、ＰＭは水ポンプ９を駆動するポンプモータ、ＴＭは常閉接点の遅延リレーであって所定時間経過後に開状態となりその後再び電源がオフすると閉状態となるものである。尚、第１のリレー１Ｘは、常開接点であるａ接点及び常閉接点であるｂ接点を有するものである。
【００２８】
図７に示すように、受水槽４の中の水位が時点Ｔ１で下限水位センサＳＬの高さ（ボルトＢ２の最下端Ｂ２ａ）を越えても、水ポンプ発停リレーの接点Ｕはオンしない。その後、時点Ｔ２で受水槽４の中の水位がボルトＢ１の最下端Ｂ１ａを越えると、水ポンプ発停リレーの接点Ｕがオンし、ポンプモータＰＭが運転を開始する。同時に、このとき、第１のリレー１Ｘのａ接点はオンとなり、遅延リレーＴＭはこの時点Ｔ２からオンした後所定の遅延時間（図７のｔ１）を経過するまで（時点Ｔ５まで）オンを継続する。したがって、第２のリレー１Ｙの接点は、この時点Ｔ２でオンするとともに自己保持され、このオンの状態を継続する。
【００２９】
ところで、警報ブザーＢＺに直列に接続されている第１のリレー１Ｘのｂ接点と第２のリレー１Ｙの接点については、この制御回路はまず第１のリレー１Ｘがオンすることにより、第１のリレー１Ｘのｂ接点がオフ、その後第２のリレー１Ｙがオンするものであり、一方、第１のリレー１Ｘのｂ接点がオフしてから第２のリレー１Ｙがオンするまでの間にリレーの特性から数１０ミリ秒間のタイムラグが発生するため、第１のリレー１Ｘのｂ接点と第２のリレー１Ｙの接点に直列に接続されている警報ブザーＢＺが発報することはない。
【００３０】
そして、受水槽４の水位が減少し始め、時点Ｔ３でボルトＢ１の最下端Ｂ１ａより低くなっても、水ポンプ発停リレーの接点Ｕはなおもオンの状態を継続し、ポンプモータＰＭの運転は継続される。通常このようにして、ドレン水は排水される。
【００３１】
その後、受水槽４の水位が減少を続け、時点Ｔ５で、遅延リレーＴＭの接点は、遅延時間（図７のｔ１）を経過しオフするので、第２のリレー１Ｙは自己保持が解除され、第２のリレー１Ｙの接点はオフするため、この時点Ｔ５を経過する時点において、第１のリレー１Ｘのｂ接点と第２のリレー１Ｙの接点に直列に接続されている警報ブザーＢＺが発報する事態は生じない。
【００３２】
さらにその後、受水槽４の水位が減少を続け、時点Ｔ４でボルトＢ２の最下端Ｂ２ａより低くなると、水ポンプ発停リレーの接点ＵがオフになってポンプモータＰＭの運転が停止し、受水槽４に溜まったドレン水の排水を停止する。そして、第１のリレー１Ｘのｂ接点がＴ２以後もオフを継続し、第２のリレー１ＹがＴ５以後もオフを継続しているので、このＴ４より前において第１のリレー１Ｘのｂ接点と第２のリレー１Ｙの接点に直列に接続されている警報ブザーＢＺが発報する事態は生じない。
【００３３】
またさらに、時点Ｔ４で、第１のリレー１Ｘのｂ接点がオンしても、第２のリレー１Ｙの接点は、Ｔ５以後オフを継続しているので、この時点Ｔ４を経過する時点において、第１のリレー１Ｘのｂ接点と第２のリレー１Ｙの接点に直列に接続されている警報ブザーＢＺが発報する事態は生じない。
【００３４】
このように、通常、警報ブザーＢＺが警報を発報することはない。
【００３５】
ところで、前述したように、ショーケースのドレン水は、日配品や野菜等の商品に付着した汚れや土などにより汚染されているため、センサはその表面が汚染され易く、その感度が徐々に変化してしまう。前述のように、ボルトＢ２について上限水位レベルＵより下の部分は、水ポンプ９が運転して下限水位レベルＬになるまでドレン水に濡れた状態にあるため、ボルトＢ１に比較し汚染され易く、その汚染された部分は抵抗値がそれまでに比較して変化する。そして、このボルトＢ２の抵抗値が変化する位置は、最下端Ｂ２ａではなく、それより上の位置になる。一方、ボルトＢ１はドレン水に浸っている部分が第１のボルトに比較して少ないため、汚染され難い。そのため、ボルトＢ２の最下端Ｂ２ａより上部の水位で水ポンプ発停リレーの接点Ｕがオフするようになるため、受水槽４の下限水位Ｌは上昇するのに対し、ボルトＢ１の最下端Ｂ１ａとほとんど変わらない水位で水ポンプ発停リレーの接点Ｕがオンするため、受水槽４の上限水位Ｕはほとんど変化しない。
【００３６】
したがって、ドレン水によるボルトの汚染により、受水槽４の中の水位がボルトＢ１の最下端Ｂ１ａを越えて、水ポンプ発停リレーの接点ＵがオンしポンプモータＰＭが運転を開始した時点Ｔ２から、水ポンプ９の運転を停止する時点Ｔ４までの時間が短くなる。そこで、遅延リレーＴＭの遅延時間を所定時間に設定しておくことにより、図６の制御回路は、警報ブザーＢＺを発報させることができるようになる。次に、この点について説明する。
【００３７】
図８に示すように、受水槽４の中の水位が時点Ｔ１で下限水位センサＳＬの高さを越えても、水ポンプ発停リレーの接点Ｕはオンしない。その後、受水槽４の中の水位が時点Ｔ２でボルトＢ１の最下端Ｂ１ａを越えると、水ポンプ発停リレーの接点Ｕがオンし、ポンプモータＰＭが運転を開始する。同時に、このとき、第１のリレー１Ｘのａ接点はオンとなり、遅延リレーＴＭはこの時点Ｔ２から所定の時間（図８のｔ１）を経過するまで（時点Ｔ５まで）オンを継続し、したがって、第２のリレー１Ｙの接点もオンし、自己保持され、この状態を継続する。
【００３８】
ところで、警報ブザーＢＺに直列に接続されている第１のリレー１Ｘのｂ接点と第２のリレー１Ｙの接点については、この制御回路はまず第１のリレー１Ｘがオンすることにより、第１のリレー１Ｘのｂ接点がオフ、その後第２のリレー１Ｙがオンするものであり、一方、第１のリレー１Ｘのｂ接点がオフしてから第２のリレー１Ｙがオンするまでの間にリレーの特性から数１０ミリ秒間のタイムラグが発生するため、第１のリレー１Ｘのｂ接点と第２のリレー１Ｙの接点に直列に接続されている警報ブザーＢＺが発報することはない。
【００３９】
そして、受水槽４の水位が減少し始め、時点Ｔ３でボルトＢ１の最下端Ｂ１ａより低くなっても、水ポンプ発停リレーの接点Ｕはなおもオンの状態を継続し、ポンプモータＰＭの運転は継続される。
【００４０】
その後、受水槽４の水位が減少を続けるが、前述のようにボルトＢ２の電極のドレン水による汚染によりその最下端Ｂ２ａより上の水位で水ポンプ発停リレーの接点Ｕがオフする。すなわち、遅延リレーＴＭに対する所定の設定時間（図８のｔ１）より前の時点Ｔ４でポンプモータＰＭの運転が停止し、受水槽４に溜まったドレン水の排水を停止する。このＴ４の時点で、水ポンプ発停リレーの接点Ｕのオフにより第１のリレー１Ｘのａ接点はオフするが、第１のリレー１Ｘのｂ接点はオンし、遅延リレーＴＭの接点はこの遅延時間（図８のｔ１）内は時点Ｔ２から継続してオン（但し、Ｔ２以前からも）であり、第２のリレーの接点１Ｙも自己保持によりオンしている。したがって、警報ブザーＢＺと直列に接続されている第１のリレー１Ｘのｂ接点と第２のリレー１Ｙの接点については、ともにオンの状態となるので、警報ブザーＢＺは発報する。
【００４１】
その後、時点Ｔ５になった時、水ポンプ発停リレーの接点Ｕがオフしているので、遅延リレーＴＭの接点はオンとなり、したがって時点Ｔ５以前からのオンを継続する。したがって、第２のリレー１Ｙは自己保持状態を継続し、依然として警報を発報し続ける。
【００４２】
そこで、この警報の発報により、下限水位センサＳＬとしてのボルトＢ２の汚れを察知し、他のボルトを含め、その清掃、交換を行う。
【００４３】
尚、この警報は、警報ブザーＢＺと直列に接続されている警報解除スイッチＳＷをオフすることにより、その警報の解除を行うことができる。
【００４４】
次に、ボルトＢ１及びボルトＢ２がともに異常に汚染されてセンサとしての動作をし難くなった場合には、前述のように、前記ボルトＢ１が螺合する固定板１５の螺合部１５ａは、ボルトＢ２が螺合する固定板１６の螺合部１６ａの高さより少許高い位置にあることにより、本発明は、次のように機能する。
【００４５】
ボルトＢ１及びボルトＢ２がともに汚染された場合、ボルトＢ２とボルトＢ３間、及びボルトＢ１とボルトＢ３間での抵抗がそれぞれ大きく変化する。しかし、ボルトＢ１が螺合している固定板１５の螺合部１５ａとボルトＢ２が螺合している固定板１６の螺合部１６ａとは、ボルトＢ１の最下端Ｂ１ａ及びボルトＢ２の最下端Ｂ２ａより高い位置にあり、しかもその表面積がボルトの表面積に比較して大きいため、ボルトＢ２とボルトＢ３間、及びボルトＢ１とボルトＢ３間に比較して、螺合部１５ａとボルトＢ３間、及び螺合部１６ａとボルトＢ３間との抵抗値は、変化し難い。これにより、ボルトＢ１やボルトＢ２自体が汚染された後も、長期間に渡りこれら螺合部１５ａ、１６ａと接地電極Ｅとのそれぞれの抵抗によりコントローラＣＲによる制御が可能である。したがって、警報ブザーＢＺの故障等により長期間清掃や交換がなされない場合でも受水槽４から水を溢れさせることがない。
【００４６】
本実施例においては、受水槽４はショーケース１、１・・・と分離して別途設置されている。しかし、上限水位センサＳＵとしてのボルトＢ１、下限水位センサＳＬとしてのボルトＢ２及び接地電極ＥとしてのボルトＢ３を固定板に螺合し、これらの固定板１５、１６、１７を受水槽４の側壁４ｂにそれぞれ固定しているため、受水槽４の蓋４ａにこれらのボルトを固定する場合に比較して、蓋４ａからボルトが突出することがなく上下方向の高さを小さくすることができる。したがって、図９に示す如く、この受水槽４をいずれかのショーケース１、１・・・の本体庫外下部に設置することも容易であるので、新たな設置場所が不要である。
【００４７】
また、本実施例においては、受水槽４は、金属製であり、接地電極ＥとしてのボルトＢ３が固定板１７に螺合しているが、この接地電極Ｅ及びこの接地電極Ｅを受水槽４に固定する固定板１７の代わりに、この受水槽４自体に接地してもよい。この場合は、接地電極Ｅ及びこの接地電極Ｅを受水槽４に固定する固定板１７が不要となるので、さらにコストの安価なショーケースのドレン排水装置を提供することができる。
【００４８】
【発明の効果】
以上のように、本発明によれば、簡単な構成によりドレン水の水位を検知することができ、交換や調整が容易である。さらに、必要に応じて上限水位及び下限水位を容易に変更することができるため、接続するショーケースの台数が多くなって一度に流入するドレン水が増大しても受水槽から溢れないように適宜上限水位及び下限水位を調節することが可能なショーケースのドレン排水装置を提供することができる。
【００４９】
また、高さの低いドレン排水装置を提供できるので、ドレン排水装置をショーケース本体の高さの低い庫外下部に設置することができるため、新たな設置場所が不要となる。
【００５０】
更に、警報により清掃や交換をすべき時期が明確となるので、センサの定期的な清掃、交換及び調整を容易に行うことができる。
【図面の簡単な説明】
【図１】本発明のドレン排水装置のシステム概要図である。
【図２】本発明のドレン排水装置の一部切欠図である。
【図３】水位センサの要部斜視図である。
【図４】上限水位センサ、下限水位センサ、接地電極を示す要部正面図である。
【図５】コンローラーを示す概略図である。
【図６】本発明に係る制御回路図である。
【図７】本発明に係る制御回路の通常のタイムチャートである。
【図８】接地電極が汚染された場合のタイムチャートである。
【図９】ショーケースの下部に受水槽を設置した場合のドレン排水装置のシステム概要図である。
【符号の説明】
１  ショーケース
２  ドレン管
３  ショーケース排水管
４  受水槽
５  フィルタ
８  逆止弁
９  水ポンプ
１０  排水支管
１１  排水本管
１２  排水溝
１５、１６、１７  固定板
１５ａ、１６ａ、１７ａ  螺合部
１５ｂ、１６ｂ、１７ｂ  垂直部
１５ｃ、１６ｃ、１７ｃ  固定部
Ｂ１  第１のボルト
Ｂ２  第２のボルト
Ｂ３  第３のボルト
Ｂ１ａ、Ｂ２ａ、Ｂ３ａ  最下端
ＢＺ  警報ブザー
Ｅ  接地電極
ＳＬ  下限水位センサ
ＳＵ  上限水位センサ
１Ｘ  第１のリレー
１Ｙ  第２のリレー
ＴＭ  遅延リレー
ＰＭ  ポンプモータ
Ｕ  水ポンプ発停リレー接点
【図１】
0003851047.tif 000002
【図２】
0003851047.tif 000003
【図３】
0003851047.tif 000004
【図４】
0003851047.tif 000005
【図５】
0003851047.tif 000006
【図６】
0003851047.tif 000007
【図７】
0003851047.tif 000008
【図８】
0003851047.tif 000009
【図９】
0003851047.tif 000010